(57)【要約】【課題】Ｌ型レンチを利用して六角ボルト、またはナットを締緩できるようにする。【解決手段】六角ボルト、またはナットを締緩できるソケットレンチに、Ｌ型レンチが嵌合できてネジを締緩出来る構造にし、この状態で使用中にＬ型レンチからソケットレンチが分離脱落しないようにする。そのためにソケットレンチに備えたスナップリングの内径で、Ｌ型レンチに設けた溝に嵌合して、ソケットレンチとＬ型レンチが組み合った状態にする。次に他のソケットレンチのサイズに交換するときは、Ｌ型レンチからソケットレンチを引き離す操作すると、Ｌ型レンチからソケットレンチが分離され、次のソケットレンチを差し込んで前の状態で使用できる構造にする。【選択図】図１
2007223018.tif 000002
【特許請求の範囲】
【請求項１】
Ｌ型レンチの先端から適宜な間隔位置に、これに嵌合する作業工具に備えたスナップリングの内径で嵌合把持される溝を設け、この溝は六角形の角の部分を円周状に切削した浅い溝にし、この溝の両側面には勾配を形成した溝を、Ｌ型レンチの先端から適宜な位置に設けたことを特徴とするＬ型レンチ。
【請求項２】
「請求項１」に記載した溝をＬ型レンチの先端に、六面球状部を設けた首部より適宜な間隔位置に設けたことを特徴とするＬ型レンチ。
【請求項３】
Ｌ型レンチを直角に折り曲げて、Ｌ型レンチを構成した折り曲げ角度を、直角より広い適度な鈍角に折り曲げて、形成したことを特徴とするＬ型レンチ。
【発明の詳細な説明】
【技術分野】
【０００１】  本発明は、ネジを締緩する為のＬ型レンチに関するものである。
【背景技術】
【０００２】  六角形状の棒鋼をＬ型に形成して焼入れ調質したＬ型レンチの使用目的は、キャップスクリュウの名称がついたボルトの頭部に設けた六角穴に、このＬ型レンチを差し込み嵌合してキャップスクリュウのネジの回転方向にＬ型レンチを回転操作してネジの締緩をするのが目的である。【０００３】  ボルトのネジの締緩を操作ができる限定された工具で、機械または道具を構成する部品の取り付けに、このキャップスクリュウは多用されている。そのことから機械または物品を保守管理する人達の道具箱の中には常備しておく手近な汎用工具でもある。【０００４】  そして、このＬ型レンチの一部の種類には、長い柄の方の先端に六角形状エッジを備えた球状部を形成してある。この先端の球状部をキャツプスクリュウ頭部の六角穴に差し込んだ状態でＬ型レンチを回転さすと、球状部の作用でネジの軸心より外れてＬ型レンチが傾いた状態でも、キャツプスクリュウはネジ溝に沿って回転して締緩できる。【０００５】  この状態のＬ型レンチは長い柄の方であるから、この長いＬ型レンチに別のラチェツトレンチを嵌め合わせて回転操作すると、速やかにネジを締緩ができる。このようにＬ型レンチ工具は優れものであるが、このＬ型レンチは従来の六角ボルト、または六角ナットには使用できない欠点もある。【０００６】  またＬ型レンチでネジを強く締め付けるときには、長い柄の先端部分を指で巻き込むように握り、手前に強く引き込む操作する。しかしＬ型レンチは直角状に形成されている為に締め付け操作する付近の器物に指が触れて、指の表皮を損傷する懸念があり、また実際に損傷した実例がある。
【発明の開示】
【発明が解決しようとする課題】
【０００７】  解決しようとする問題点は、六角ボルト、または六角ナットに嵌合してネジを締緩する従来のソケットレンチ、またはこのソケットレンチの頭部に嵌合するアダプターにＬ型レンチを嵌め合わせて、これでネジを締緩操作できる構造にし、この嵌め合わせただけの構造でＬ型レンチを回転締緩操作する。すると回転する軸心が互いに揃わない為に、過酷な回転作用力が掛かり、ソケットレンチがＬ型レンチから引き抜け脱落する懸念がある。そこでソケットレンチ、またはアダプターがＬ型レンチから引き抜く操作をしないと離れない構造にしておくと、分離脱落しない課題が解決できる。【０００８】  また、Ｌ型レンチの短い柄の方を六角穴に差し込んで長い柄の方を回転操作すると、回転面が低い位置で操作するから、器物に指が触れて損傷する課題がある。
【課題を解決するための手段】
【０００９】  本発明は、六角形状のＬ型レンチの先端部より離れた適宜な位置に、相手のソケットレンチ、またはアダプターの接続受け口孔に備えたスナップリングの内径が、嵌装できる形状の溝をＬ型レンチの適所に設ける。溝を構成する深さは、六角形の角部分を円周状に切削した程度の深さの溝形状にし、この溝形状にソケットレンチ、またはアダプターに備えたスナップリングで六角形状のＬ型レンチを把持して、ソケットレンチまたはアダプターがこのＬ型レンチから引き抜く作用をしない限り分離脱落しないようにしておく。【００１０】  またこのＬ型レンチの形状に折り曲げた角度を、直角より拡がった鈍角状の形状にＬ型レンチを形成する。そして短い柄の方を六角穴に差し込んで、長い柄の方を回転操作する。すると逆円錐形状の軌道面となるから、長い柄の先に近づくほどに、六角穴に差し込まれて、Ｌ型に曲げた位置の高さより高くなり、器物に触れる危険が無くなり解決できる。
【発明の効果】
【００１１】  本発明のＬ型レンチでは、ソケットレンチ、またはアダプターを利用して従来の六角ボルト、ナットを締緩できることから、キャツプスクリュウ専用の工具から多用途の作業工具に利用できる利点がある。
【発明を実施するための最良の形態】
【００１２】  Ｌ型レンチの先端に装着した作業工具を、Ｌ型レンチから引抜き操作をしない限り、作業工具がＬ型レンチから分離脱落しない状態を実現した。
【実施例１】
【００１３】  図１は、スナップリング４を備えた作業工具１の断面図で、これに本発明のＬ型レンチ２の先端部分を差し込んで装着する前の状態で、Ｌ型レンチの六角形状の三面の部分を現した立面の図である。【００１４】  このＬ型レンチ２の先端から適宜な間隔位置に、作業工具１に備えたスナップリング４の内径で、嵌合把持される溝３を設ける。溝３を構成する溝の深さは、六角形の角の部分５を円周状に切削した程度の浅い溝にし、この溝３の両側面６には、勾配が４５度から緩い勾配での溝形状にし、作業工具１にＬ型レンチ２の先端を差込み、溝３がスナップリング４に近づく。するとスナツプリング４の緊縮力で側面勾配６の作用して、Ｌ型レンチ２が引き込まれるように溝３に嵌合し、作業工具１でＬ型レンチ２の溝３を把持して互いを保持する。【００１５】  次に、作業工具を交換する時にはＬ型レンチ２と、作業工具１とを引き離すように操作すると、溝３に嵌合していたスナップリング４が、側面勾配６の作用で拡張して互いが容易に引き離され、次の作業工具が装着できる。【００１６】  次に、Ｌ型レンチ２の先端から適宜な間隔位置に溝３を設けたことは、作業工具１と、このＬ型レンチ２が嵌合した状態で長期に使用しても、六角面が損耗しない程度の接触面積を得ることから、Ｌ型レンチ２の先端から適宜の間隔の位置に溝３を設けたものである。【００１７】  そしてＬ型レンチ２の長い柄の先端に六角面球状部７を設けたＬ型レンチ２の溝３の位置も、六角面球状部７の首部８より、上記と同様な適宜な間隔位置に溝３を設ける。【００１８】  図２の実施例は、六角形状の棒鋼をＬ型に形成した折り曲げ角度を直角より広げた１００度から１１０度程度の鈍角に形成しておくと、ネジの締め付け操作をするときにＬ型レンチ２がふら付かない。またネジを操作するために差し込んだＬ型レンチ２の屈曲部９より上に勾配を設けたＬ型レンチ２は、逆円錐軌道面であるからボールトネジ、またはナット類の位置より高い位置で操作でき、その周りの器物に指が触れることが無く安全である。
【産業上の利用可能性】
【００１９】  キャツプスクリュウ専用のＬ型レンチが、ネジ類を締緩できる作業工具と組み合わせることが出来て六角ボルト、ナットの締緩にも利用できる。
【図面の簡単な説明】
【００２０】
【図１】スナップリングを備えたソケットレンチの断面図と、これに差し込む前のＬ型レンチの先端からの適所に溝を設けたＬ型レンチの一部分の立面図である。
【図２】鈍角状に折り曲げて形成したＬ型レンチの一端には六面の球状部を備えた平面図である。
【符号の説明】
【００２１】１  作業工具
２  Ｌ型レンチ
３  溝
４  スナップリング
５  角の部分
６  側面勾配
７  六角面球状部
８  首部
９  屈曲部
【図１】
2007223018.tif 000003
【図２】
2007223018.tif 000004